【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
液体噴射装置に液体を供給するための液体収容容器であって、
複数の壁部により形成され、前記液体を収容するための液体収容室と、
前記液体収容室に前記液体を注入するための液体注入口であって、一端部が外部に向かって開口し、他端部が前記液体収容室内で開口した液体注入口と、
前記液体注入口を塞ぐための栓部材と、
外部の空気を前記液体収容室内に導入するための大気開放流路と、
前記液体収容室の前記液体を前記液体噴射装置に供給するための導出部と、を備え、
前記大気開放流路は、
所定の容積を有する空気収容室と、
前記空気収容室と外部とを連通させる第１の流路と、
一端部である空気側開口が前記空気収容室内で開口し、他端部である液体側開口が前記液体収容室内で開口することで、前記液体収容室と前記空気収容室とを連通させる第２の流路と、を備え、
前記第２の流路は、前記液体注入口の前記一端部を水平方向に向けているときに、前記液体注入口の前記他端部よりも下方に位置するように設けられ、
前記空気側開口は、前記液体注入口の前記一端部を鉛直上方向に向けているときに、前記液体注入口の前記他端部よりも上方に位置するように設けられている、液体収容容器。
【請求項２】
請求項１に記載の液体収容容器であって、
前記第２の流路は、メニスカスが形成されることで前記液体が保持されるように構成されている、液体収容容器。
【請求項３】
液体噴射装置に液体を供給するための液体収容容器であって、
複数の壁部により形成され、前記液体を収容するための液体収容室と、
前記液体収容室に前記液体を注入するための液体注入口であって、一端部が外部に向かって開口し、他端部が前記液体収容室内で開口した液体注入口と、
前記液体注入口を塞ぐための栓部材と、
外部の空気を前記液体収容室内に導入するための大気開放流路と、
前記液体収容室の前記液体を前記液体噴射装置に供給するための導出部と、を備え、
前記大気開放流路は、
所定の容積を有する空気収容室と、
前記空気収容室と外部とを連通させる第１の流路と、
一端部である空気側開口が前記空気収容室内で開口し、前記液体収容室と前記空気収容室とを連通させる第２の流路と、を備え、
前記複数の壁部は、前記液体注入口が水平方向を向いているときに前記液体収容容器が設置された設置面に対して立設状態となる複数の立設壁部を含み、
前記液体注入口は、前記複数の立設壁部のうち前記液体収容室が配置されている側に位置する空気側壁部に設けられている、液体収容容器。
【請求項４】
請求項３に記載の液体収容容器であって、
前記第２の流路は、前記液体注入口の前記一端部を水平方向に向けているときに、前記液体注入口の前記他端部よりも下方に位置するように設けられ、
前記空気側開口は、前記液体注入口の前記一端部を鉛直上方向に向けているときに、前記液体注入口の前記他端部よりも上方に位置するように設けられている、液体収容容器。
【請求項５】
請求項３又は請求項４に記載の液体収容容器であって、さらに、
前記複数の壁部のうち外部から視認可能な壁部であって、前記液体注入口が鉛直上方向を向いているときに前記液体収容容器が設置された設置面に対して立設状態となる壁部に、前記液体注入口から注入される液体の量の上限を示す上限部が外部から識別可能に設けられている、液体収容容器。
【請求項６】
請求項５に記載の液体収容容器であって、
前記上限部は、前記液体注入口が鉛直上方向を向いているときに水平方向に直線状である、液体収容容器。
【請求項７】
請求項３から請求項６までのいずれか一項に記載の液体収容容器であって、さらに、
前記複数の壁部のうち外部から視認可能な壁部であって、前記液体注入口が水平方向を向いているときに前記液体収容容器が設置された設置面に対して立設状態となる壁部に、前記液体収容室の前記液体の量が第１の閾値になったことを示す下限部が外部から識別可能に設けられている、液体収容容器。
【請求項８】
請求項７に記載の液体収容容器であって、
前記下限部は、前記液体注入口が水平方向を向いているときに水平方向に直線状である、液体収容容器。
【請求項９】
液体噴射システムであって、
請求項１から請求項８までのいずれか１項に記載の液体収容容器と、
対象物に前記液体を噴射するためのヘッドを有する液体噴射装置と、
前記液体収容容器の前記導出部と前記液体噴射装置とを接続し、前記液体収容室に収容されている前記液体を前記液体噴射装置に流通させる流通管と、を備える、液体噴射システム。
【手続補正２】
【補正対象書類名】明細書
【補正対象項目名】０００７
【補正方法】変更
【補正の内容】
【０００７】
本発明は、上記の課題の少なくとも一部を解決するためになされたものであり、以下の形態または適用例として実現することができる。
［形態１］
液体噴射装置に液体を供給するための液体収容容器であって、
複数の壁部により形成され、前記液体を収容するための液体収容室と、
前記液体収容室に前記液体を注入するための液体注入口であって、一端部が外部に向かって開口し、他端部が前記液体収容室内で開口した液体注入口と、
前記液体注入口を塞ぐための栓部材と、
外部の空気を前記液体収容室内に導入するための大気開放流路と、
前記液体収容室の前記液体を前記液体噴射装置に供給するための導出部と、を備え、
前記大気開放流路は、
所定の容積を有する空気収容室と、
前記空気収容室と外部とを連通させる第１の流路と、
一端部である空気側開口が前記空気収容室内で開口し、他端部である液体側開口が前記液体収容室内で開口することで、前記液体収容室と前記空気収容室とを連通させる第２の流路と、を備え、
前記第２の流路は、前記液体注入口の前記一端部を水平方向に向けているときに、前記液体注入口の前記他端部よりも下方に位置するように設けられ、
前記空気側開口は、前記液体注入口の前記一端部を鉛直上方向に向けているときに、前記液体注入口の前記他端部よりも上方に位置するように設けられている、液体収容容器。
［形態２］
形態１に記載の液体収容容器であって、
前記第２の流路は、メニスカスが形成されることで前記液体が保持されるように構成されている、液体収容容器。
［形態３］
液体噴射装置に液体を供給するための液体収容容器であって、
複数の壁部により形成され、前記液体を収容するための液体収容室と、
前記液体収容室に前記液体を注入するための液体注入口であって、一端部が外部に向かって開口し、他端部が前記液体収容室内で開口した液体注入口と、
前記液体注入口を塞ぐための栓部材と、
外部の空気を前記液体収容室内に導入するための大気開放流路と、
前記液体収容室の前記液体を前記液体噴射装置に供給するための導出部と、を備え、
前記大気開放流路は、
所定の容積を有する空気収容室と、
前記空気収容室と外部とを連通させる第１の流路と、
一端部である空気側開口が前記空気収容室内で開口し、前記液体収容室と前記空気収容室とを連通させる第２の流路と、を備え、
前記複数の壁部は、前記液体注入口が水平方向を向いているときに前記液体収容容器が設置された設置面に対して立設状態となる複数の立設壁部を含み、
前記液体注入口は、前記複数の立設壁部のうち前記液体収容室が配置されている側に位置する空気側壁部に設けられている、液体収容容器。
［形態４］
形態３に記載の液体収容容器であって、
前記第２の流路は、前記液体注入口の前記一端部を水平方向に向けているときに、前記液体注入口の前記他端部よりも下方に位置するように設けられ、
前記空気側開口は、前記液体注入口の前記一端部を鉛直上方向に向けているときに、前記液体注入口の前記他端部よりも上方に位置するように設けられている、液体収容容器。
［形態５］
形態３又は形態４に記載の液体収容容器であって、さらに、
前記複数の壁部のうち外部から視認可能な壁部であって、前記液体注入口が鉛直上方向を向いているときに前記液体収容容器が設置された設置面に対して立設状態となる壁部に、前記液体注入口から注入される液体の量の上限を示す上限部が外部から識別可能に設けられている、液体収容容器。
［形態６］
形態５に記載の液体収容容器であって、
前記上限部は、前記液体注入口が鉛直上方向を向いているときに水平方向に直線状である、液体収容容器。
［形態７］
形態３から形態６までのいずれか一つに記載の液体収容容器であって、さらに、
前記複数の壁部のうち外部から視認可能な壁部であって、前記液体注入口が水平方向を向いているときに前記液体収容容器が設置された設置面に対して立設状態となる壁部に、前記液体収容室の前記液体の量が第１の閾値になったことを示す下限部が外部から識別可能に設けられている、液体収容容器。
［形態８］
形態７に記載の液体収容容器であって、
前記下限部は、前記液体注入口が水平方向を向いているときに水平方向に直線状である、液体収容容器。
［形態９］
液体噴射システムであって、
形態１から形態８までのいずれか１つに記載の液体収容容器と、
対象物に前記液体を噴射するためのヘッドを有する液体噴射装置と、
前記液体収容容器の前記導出部と前記液体噴射装置とを接続し、前記液体収容室に収容されている前記液体を前記液体噴射装置に流通させる流通管と、を備える、液体噴射システム。